(57)【要約】【課題】鉄骨梁を取り付ける前に垂直ネットを設置する垂直ネット先行設置工法を提供する。【解決手段】鉄骨柱の頂部に、該鉄骨柱の外周から突出する固定部を有する垂直ネット設置治具を取り付ける工程、前記鉄骨柱を、前記固定部が外側となるように建て込む工程、垂直ネットが固定された棒部材の両端それぞれを、隣接する前記鉄骨柱の前記固定部に取り付ける工程、前記垂直ネットの内部で、鉄骨梁を架設する工程、前記鉄骨柱にワイヤーを取り付け、前記垂直ネットを前記棒部材から前記ワイヤーに付け替えた後に、前記棒部材と前記垂直ネット設置治具とを前記鉄骨柱から取り外す工程、を有する垂直ネット先行設置工法。【選択図】図３
2016211234.tif 000002
【特許請求の範囲】
【請求項１】
鉄骨柱の頂部に、該鉄骨柱の外周から突出する固定部を有する垂直ネット設置治具を取り付ける工程、
前記鉄骨柱を、前記固定部が外側となるように建て込む工程、
垂直ネットが固定された棒部材の両端それぞれを、隣接する前記鉄骨柱の前記固定部に取り付ける工程、
前記垂直ネットの内部で、鉄骨梁を架設する工程、
前記鉄骨柱にワイヤーを取り付け、前記垂直ネットを前記棒部材から前記ワイヤーに付け替えた後に、前記棒部材と前記垂直ネット設置治具とを前記鉄骨柱から取り外す工程、
を有することを特徴とする、垂直ネット先行設置工法。
【発明の詳細な説明】
【技術分野】
【０００１】
本発明は、垂直ネット先行設置工法に関する。
【背景技術】
【０００２】
建設現場において、ボルト、工具等の敷地外への落下防止のために建築物の外側構面に垂直ネットが設置されることがある。垂直ネットは鉄骨柱間に張った被覆ワイヤーに取り付けられるが、鉄骨梁が取り付けられていないと隣接する鉄骨柱間に被覆ワイヤーを架け渡すことが困難であり、また、鉄骨梁架設作業の障害になるおそれがあるため、垂直ネットは鉄骨梁を架設した後に設置されることが多い。鉄骨建方作業において、外周部の鉄骨梁を取り付ける際には垂直ネットが設置されていないため、ボルトや工具が落下すると、建設敷地内のみならず、外部に落下することがあり、工事関係者だけでなく、歩行者や通行車両等の第三者にとっても危険であった。
【０００３】
特許文献１には、建て込まれた躯体外周部の鉄骨柱間に梁を横架する際における、躯体外部への飛来落下物に対する養生を行う養生ユニットであって、少なくとも建て込まれた２本の鉄骨柱間を覆うだけの広さを有する養生ネットと、その養生ネットを広げた状態で保持する枠体と、枠体の上部から鉄骨柱側に向けて張り出す少なくとも２本のブラケットと、各ブラケットの先端部に設けられて、上記鉄骨柱の上部の柱側掛止部に上側から掛止可能な養生側掛止部と、を備えたことを特徴とする鉄骨梁建方時の養生ユニットが提案されている。
特許文献１に記載の養生ユニットは、鉄骨梁の架設前に鉄骨柱に取り付けられるものであるが、少なくとも２本の鉄骨柱間を覆う幅と少なくとも１階分の高さを有する養生ユニットを地上で組み立てる必要があり、大きな作業スペースが必要である。
【先行技術文献】
【特許文献】
【０００４】
【特許文献１】特開２００２−２１３３６号公報
【発明の概要】
【発明が解決しようとする課題】
【０００５】
本発明は、鉄骨梁を取り付ける前に垂直ネットを設置する垂直ネット先行設置工法を提供する。
【課題を解決するための手段】
【０００６】
１．鉄骨柱の頂部に、該鉄骨柱の外周から突出する固定部を有する垂直ネット設置治具を取り付ける工程、
前記鉄骨柱を、前記固定部が外側となるように建て込む工程、
垂直ネットが固定された棒部材の両端それぞれを、隣接する前記鉄骨柱の前記固定部に取り付ける工程、
前記垂直ネットの内部で、鉄骨梁を架設する工程、
前記鉄骨柱にワイヤーを取り付け、前記垂直ネットを前記棒部材から前記ワイヤーに付け替えた後に、前記棒部材と前記垂直ネット設置治具とを前記鉄骨柱から取り外す工程、
を有することを特徴とする、垂直ネット先行設置工法。
【発明の効果】
【０００７】
本発明の垂直ネット先行設置工法により、鉄骨柱に鉄骨梁を架設する前に、垂直ネットを設置することができる。垂直ネットを設置した後に鉄骨梁を架設するため、鉄骨梁架設時にボルトや工具が落下しても、建設敷地外の歩行者や通行車両の上に落下することはない。鉄骨柱の頂部への垂直ネット設置治具の取り付け、棒部材への垂直ネットの固定は、地上で行うことができ、高所での作業が少ないため、施工性、安全性に優れている。棒部材への垂直ネットの取り付けは、狭いスペースで行うことができる。
【図面の簡単な説明】
【０００８】
【図１】垂直ネット設置治具を示す図。
【図２】本発明の垂直ネット先行設置工法の工程を説明する図。
【図３】鉄骨柱頂部に取り付けられた垂直ネット設置治具を示す図。
【図４】本発明の垂直ネット先行設置工法の工程を説明する図。
【図５】本発明の垂直ネット先行設置工法の工程を説明する図。
【図６】本発明の垂直ネット先行設置工法の工程を説明する図。
【図７】本発明の垂直ネット先行設置工法の工程を説明する図。
【発明を実施するための形態】
【０００９】
本発明は、建方した鉄骨柱に鉄骨梁を架設する前に垂直ネットを設置する垂直ネット設置後方に関する。具体的には、
鉄骨柱の頂部に、該鉄骨柱の外周から突出する固定部を有する垂直ネット設置治具を取り付ける工程、
前記鉄骨柱を、前記固定部が外側となるように建て込む工程、
垂直ネットが固定された棒部材の両端それぞれを、隣接する前記鉄骨柱の前記固定部に取り付ける工程、
前記垂直ネットの内部で、鉄骨梁を架設する工程、
前記鉄骨柱にワイヤーを取り付け、前記垂直ネットを前記棒部材から前記ワイヤーに付け替えた後に、前記棒部材と前記垂直ネット設置治具とを前記鉄骨柱から取り外す工程、
を有する垂直ネット先行設置工法に関する。
【００１０】
図１に垂直ネット設置治具１を示す。垂直ネット設置治具１は、水平材１１と、水平材１１の一端に取り付けられた第一の垂直材１２と、第一の垂直材から鉄骨柱の径と略等しい距離となる位置に取り付けられた第二の垂直材１３と、水平材１１の他端に設けられた固定部１４とを有する。
【００１１】
水平材１１と第一の垂直材１２とは、溶接により接合されている。水平材と第二の垂直材１３とは、水平材１１に設けられた長穴を通るボルトで接合されており、鉄骨柱の径に応じて第二の垂直材１３の位置を調整することができる。水平材１１と第二の垂直材１３とを接合するボルトは、落下防止のためにワイヤーで接続されている。
【００１２】
水平材１１の一端には、垂直ネット設置治具１の落下防止のために、鉄骨柱のフックに係合されるワイヤー１５が取り付けられている。第一の垂直材１２、および第二の垂直材１３にはボルト穴が設けられており、第一、および第二の垂直材１２、１３の先端には落下防止用のワイヤーを介して板材が係合され、この板材にワッシャーとボルト１６とが溶接されている。固定部１４は水平材１１の他端にボルトとナットにより固定され、また、落下防止のためにこのボルトはネジ山溶接されている。
【００１３】
以下、本発明を工程順に説明する。
「鉄骨柱の頂部に、該鉄骨柱の外周から突出する固定部を有する垂直ネット設置治具を取り付ける工程」
地上の仮置部などで鉄骨柱２の頂部に、垂直ネット設置治具１を取り付ける（図２）。図３に、鉄骨柱２の頂部に取り付けられた垂直ネット設置治具１を示す。
垂直ネット設置治具１の二本の垂直材１２、１３が、鉄骨柱２の頂部を挟みつつ、鉄骨柱２の複数の上部エレクションピースのうち対向する２つの上部エレクションピース２１と重なるように、鉄骨柱２の頂部に垂直ネット設置治具１を配置する。上部エレクションピース２１にはボルト穴が設けられており、第一の垂直材１２の先端にワイヤーを介して係合しているボルト１６を、第一の垂直材１２と上部エレクションピース２１のボルト穴に通し、ナットで締め、溶接する。第二の垂直材１３も同様にエレクションピース２１とボルト１６で固定することにより、鉄骨柱２の頂部に垂直ネット設置治具１が取り付けられる。鉄骨柱２の頂部を２本の垂直材１２、１３で挟みこむように固定しているため、万一ナットが緩んでも垂直ネット設置治具１の落下を防止できる。垂直ネット設置治具１の固定部１４は、鉄骨梁架設作業の障害とならないように鉄骨柱の外周から突出する。また、鉄骨柱２には、建て込みした後に作業者が登れるように仮設タラップ（図示せず。）が取り付けられる。さらに、水平材１１の一端に設けられたワイヤー１５の先端を、垂直ネット設置治具１の落下防止のために鉄骨柱２のフック、またはエレクションピースに係合する。垂直ネット設置治具１は、鉄骨柱２が工場等から現場に運び込まれ、地上に横たわった状態で取り付けられるため、容易、かつ安全に取り付けることができる。なお、現実の鉄骨柱２は複数個のフックを有するが、簡略化のため図２〜図７では被覆ワイヤー用フック２２のみを図示している。
【００１４】
「前記鉄骨柱を、前記固定部が外側となるように建て込む工程」
頂部に垂直ネット設置治具１を取り付けた鉄骨柱２を、クレーンにて建て込む（図４）。この際、鉄骨柱２の外周から突出している垂直ネット設置治具１の固定部１４が、建築物の外側となるように建て込む。
【００１５】
「垂直ネットが固定された棒部材の両端それぞれを、隣接する前記鉄骨柱の前記固定部に取り付ける工程」
垂直ネット４の一辺が結束紐で固定された棒部材３をクレーンで揚重し、垂直ネット４が垂れ下がった状態で棒部材３の両端を隣接する鉄骨柱２に取り付けられた垂直ネット設置治具１の固定部１４に取り付ける（図５）。固定部１４は、建築物の外側となるように設置されているため、隣接する固定部１４に棒部材３の両端を取り付けるだけで、建築物の外周を垂直ネット４で覆うことができる。垂直ネット４は、風でばたつかないように鉄骨柱２や被覆ワイヤー等に適宜結束する。棒部材３と垂直ネット４の固定は地上で行うことができ、また、棒部材３と小さく折り畳まれた垂直ネット４を敷くことができるスペースがあれば棒部材３に垂直ネット４を固定できるため、狭い建設敷地でも作業を行うことができる。
【００１６】
「前記垂直ネットの内部で、鉄骨梁を架設する工程」
鉄骨柱２の間に取り付けられた垂直ネット４の内部で、鉄骨梁５を架設する（図６）。鉄骨梁５の架設は垂直ネット４の内部で行われるため、鉄骨梁５を架設する際にボルトや工具が落下しても、垂直ネット４の外部にいる歩行者や通行車両の上に落下することはない。
【００１７】
「前記鉄骨柱にワイヤーを取り付け、前記垂直ネットを前記棒部材から前記ワイヤーに付け替えた後に、前記棒部材と前記垂直ネット設置治具とを前記鉄骨柱から取り外す工程」
鉄骨梁５を架設した鉄骨柱２の被覆ワイヤー用フック２２に被覆ワイヤー６を取り付け、棒部材３と垂直ネット４とを固定していた結束紐を緩めて、垂直ネット４を棒部材３から被覆ワイヤー６に付け替えた後に、垂直ネット４が取り外された棒部材３と垂直ネット設置治具１とを鉄骨柱２から取り外し、クレーンで下ろす（図７）。従来用いられている被覆ワイヤー６に垂直ネット４を付け替え、棒部材３を取り除くことで、カーテンウォール工事等の鉄骨梁５架設後の施工を行う際に棒部材３が邪魔とならない。また、鉄骨柱２の頂部から垂直ネット設置治具１を取り外すことで、鉄骨柱２上に上節柱となる別の鉄骨柱を接合することができる。この別の鉄骨柱に本発明の垂直ネット先行設置工法を適用しながら、鉄骨柱を積み上げることにより、高層建築物を建設することができる。
【符号の説明】
【００１８】
１    垂直ネット設置治具
１１  水平材
１２  第一の垂直材
１３  第二の垂直材
１４  固定部
１５  ワイヤー
１６  ボルト
２    鉄骨柱
２１  上部エレクションピース
２２  被覆ワイヤー用フック
３    棒部材
４    垂直ネット
５    鉄骨梁
６    被覆ワイヤー
【図１】
2016211234.tif 000003
【図２】
2016211234.tif 000004
【図３】
2016211234.tif 000005
【図４】
2016211234.tif 000006
【図５】
2016211234.tif 000007
【図６】
2016211234.tif 000008
【図７】
2016211234.tif 000009